(57)【要約】【課題】バックに対して着脱自在で、上下左右への揺動を抑制できるリザーバを提供する。【解決手段】上下左右への揺動抑制機構を備え、使用者の身体への負担を軽減させる。揺動抑制機構は、少なくとも１箇所の取付部位で良い。また、取付部位とバックとの当接面で生じる摩擦力により上下左右への揺動を抑制するものであっても良い。また、バックとの当接面側に設けられた少なくとも２箇所の吸盤や、バックとの当接面側に設けられた凹部、凸部、或は、凹凸部や、バックとの当接面の幾何的形状により上下左右の動きが拘束されるものや、リザーバ本体に設けられた支柱の少なくとも一方の端部がバックの内側に設けられた部材と固着するものでも良い。【選択図】図１
2016078926.tif 000002
【特許請求の範囲】
【請求項１】
バックに対して着脱自在で、上下左右への揺動抑制機構を備えたことを特徴とするリザーバ。
【請求項２】
前記揺動抑制機構は、少なくとも１箇所の取付部位であることを特徴とする請求項１に記載のリザーバ。
【請求項３】
前記揺動抑制機構は、少なくとも１箇所の取付部位と前記バックとの当接面で生じる摩擦力により上下左右への揺動を抑制するものであることを特徴とする請求項１に記載のリザーバ。
【請求項４】
前記揺動抑制機構は、前記バックとの当接面側に設けられた少なくとも１箇所の吸盤であることを特徴とする請求項１に記載のリザーバ。
【請求項５】
前記揺動抑制機構は、前記バックとの当接面側に設けられた少なくとも１箇所の凹部、凸部、或は、凹凸部であることを特徴とする請求項１に記載のリザーバ。
【請求項６】
前記揺動抑制機構は、前記バックとの当接面の幾何的形状により上下左右の動きが拘束されるものであることを特徴とする請求項１に記載のリザーバ。
【請求項７】
前記揺動抑制機構は、リザーバ本体に設けられた支柱の少なくとも一方の端部が前記バックの内側に設けられた部材と固着するものであることを特徴とする請求項１に記載のリザーバ。
【請求項８】
前記取付部位は、リザーバ本体と一体成形されたものであることを特徴とする請求項２に記載のリザーバ。
【請求項９】
前記取付部位のうち少なくとも１箇所は、リザーバ内部に液体を封入するための開口部を閉じる機構の一部位であることを特徴とする請求項２に記載のリザーバ。
【請求項１０】
前記リザーバ本体は、軟質性の袋状であることを特徴とする請求項１〜９の何れかに記載のリザーバ。
【請求項１１】
前記リザーバ本体は、硬質性素材で構成されていることを特徴とする請求項１〜９の何れかに記載のリザーバ。
【請求項１２】
前記リザーバと前記バックとの当接面側であって、かつ使用者の身体接触側に、身体形状に合わせた形状を呈する平面的または立体的なクッション部材が設けられたことを特徴とする請求項１〜１１の何れかに記載のリザーバ。
【請求項１３】
平面的または立体的な部材であって、リザーバ本体の形状を維持するための補強部材が設けられたことを特徴とする請求項１〜１１の何れかに記載のリザーバ。
【発明の詳細な説明】
【技術分野】
【０００１】
本発明は、運動時の積極的な水分補給を行うためのハイドレーションに用いられるリザーバに関するものである。
【背景技術】
【０００２】
従来、主に自転車競技等の際に水分補給を行うために、バックパックの中にリザーバを挿入する、いわゆるハイドレーションバックパックが使用されている。リザーバには液体を流通させるためのチューブの一端が接続されており、他端を口中に配置することで、走行中でも、スムーズに水分補給がなされるようになっている（非特許文献１，２）。
【０００３】
バックパックとリザーバの固定方法としては、バックパックの中にリザーバを単に挿入するだけのものや、或は、バックパックの中にリザーバを挿入した後に、バックパックの中に設けられた引っ掛け部にフックを引っ掛けるものであり、リザーバ自重による懸垂や、バックパックの外径寸法による拘束によるものである。
【先行技術文献】
【特許文献】
【０００４】
【非特許文献１】http://www.camelbak.jp/menu74/contents84
【非特許文献２】https://www.e-mot.co.jp/platypus/hydration-systems.asp
【発明の概要】
【発明が解決しようとする課題】
【０００５】
上述の如く、従来公知の多くのハイドレーションバックパックでは、リザーバの固定を、リザーバ自重による懸垂や、バックパックの外径寸法による拘束により行っていた。そのため、ハイドレーションバックパックを背負ってランニングなど運動する場合や、自転車などの乗り物で走行する際に路面に凹凸がある場合、ハイドレーションバックパックが上下に揺れ、それに伴ってバックパック内部のリザーバも上下左右に揺れてしまったり、バックパックが揺れなくとも、バックパック内部のリザーバが上下左右揺れてしまうなど、リザーバの重心位置の変動によって、使用者の身体に負担をかけていた。
【０００６】
また、左右の固定についても、バックパックとリザーバの組み合わせによっては、バックパックとリザーバの間に隙間ができてしまい、例えば、自転車走行時に左右にハンドルを切った場合、バックパック内部のリザーバに重力がかかり揺れてしまい、使用者の身体に負担をかけてしまっていた。
【０００７】
さらに、バックパックに液体が充填されたリザーバを挿し込んだ当初はバックパックとリザーバの間に隙間が無かったとしても、使用するに連れて、リザーバの体積が小さくなるため、結局、同様の問題が起こっていた。
【０００８】
上記状況に鑑みて、本発明は、バックに対して着脱自在で、上下左右への揺動を抑制できるリザーバを提供することを目的とする。
なお、本明細書において、リザーバとは、水分などの液体を携行するための容器全般を含む意味で用いている。また、バッグとは、パックパックを例とする液体を携行できる鞄全般を含む意味で用いている。
【課題を解決するための手段】
【０００９】
上記課題を解決すべく、本発明のリザーバは、バックに対して着脱自在で、上下左右への揺動抑制機構を備え、使用者の身体への負担を軽減させたことを特徴とする。
揺動抑制機構は、少なくとも１箇所の取付部位で良い。１個所の取付でも回動自在にしないことにより位置決め固定が可能である。
また、揺動抑制機構は、取付部位とバックとの当接面で生じる摩擦力により上下左右への揺動を抑制するものであっても良い。その場合の摩擦を生じさせる機構は、摩擦係数の大きな素材であることが好ましい。
また、揺動抑制機構は、バックとの当接面側に設けられた少なくとも１箇所の吸盤や、バックとの当接面側に設けられた凹部、凸部、或は、凹凸部や、バックとの当接面の幾何的形状により上下左右の動きが拘束されるものや、リザーバ本体に設けられた支柱の少なくとも一方の端部がバックの内側に設けられた部材と固着するものでも良い。
【００１０】
ここで、リザーバは、伸縮性の無い素材を使用するが、軟質性素材から成る袋状、或は、硬質性素材の何れでも良い。また、取付部位のうち少なくとも１箇所は、リザーバ内部に液体を封入するための開口部を閉じる機構の一部位であっても良いし、リザーバ本体と一体成形されたものであっても良い。
リザーバは、バックとの当接面側であって、かつ使用者の身体接触側に、身体形状に合わせた形状を呈する平面的または立体的なクッション部材が設けられることでも良い。これにより、使用者に快適な着用を提供することができる。
また、平面的または立体的な部材であって、リザーバ本体の形状を維持するための補強部材が設けられることでも良い。リザーバ本体が、あたかも点滴の袋のように柔軟性がある場合、中身の液体が減少していくと、リザーバ本体の形状を維持することは困難である。そこで、中身の液体の残存量によらず、補強部材を設けてリザーバ本体の形状を維持する。
【発明の効果】
【００１１】
本発明のリザーバによれば、バックの使用時に身体やバッグの上下左右の揺れがあっても、リザーバの揺動を減少せしめる効果がある。
【図面の簡単な説明】
【００１２】
【図１】実施例１のリザーバの正面図
【図２】実施例２のリザーバの正面図
【図３】実施例３のリザーバの正面図
【図４】実施例４のリザーバの正面図
【図５】実施例５のリザーバの正面図
【発明を実施するための最良の形態】
【００１３】
以下、本発明の実施形態の一例を、図面を参照しながら詳細に説明していく。なお、本発明の範囲は、以下の実施例や図示例に限定されるものではなく、幾多の変更及び変形が可能である。
【実施例１】
【００１４】
図１は、実施例１におけるリザーバの正面図である。
図１に示されるように、リザーバ本体１の下部にはチューブ２ｂの一方の端部が接続されており、他端は吸込み口２ａに接続されている。使用者は、吸込み口２ａから液体を吸い込むことで水分を補給できる。リザーバ本体１は、バックパック（図示せず）の内部に挿し込んで使用する。使用時のバックパックの揺れと同調してバックパック内でリザーバ本体が揺動して、使用者の身体に負担をかけることのないように、バックパックとリザーバ本体１とを固定するための２箇所の取付部位３を有しており、これが揺動抑制機構となっている。
【００１５】
図１（１）に示されるように、取付部位３はボタンの形状となっており、バックパックの内面にはボタンを通すことができる開口部が予め設けられている。取付部位３のボタンを開口部を通してボタンを留めることにより、リザーバ本体１をバックパックに固定することができる。
なお、取付部位３の形状は、ボタン形状に限られず、図１（２）に示すようなフック上のものであっても良い。取付部位３は、バックパックに対して着脱自在で、使用しない時や給水時にはリザーバ本体１をバックパックから取り外すことが可能である。リザーバ本体１の材質は、変形はしても伸縮しない軟質性の袋状である。リザーバ本体１の材質に硬質性素材を用いても良い。
【実施例２】
【００１６】
図２は、実施例２におけるリザーバの正面図である。
実施例２では、実施例１と異なり、面ファスナー５を用いてリザーバの揺動を抑制する構造となっている。面ファスナー５は、図２（１）に示されるように、リザーバ本体１の上下２箇所に設置されている。図２（２）に示されるように、リザーバ本体１の上端から下端までに及ぶ１本の細長い帯状のものであっても良い。また、図２（３）に示されるように、リザーバ本体１の側面部の片面全体にわたって面ファスナー５が取付けられたものであっても構わない。
面ファスナー５は、リザーバ本体１の側面部の全周にわたって施されるものでも良い。リザーバ本体１の側面部の全周にわたって面ファスナーを取付けた場合、バックパックへの固定を任意の面を用いて行えるという利点がある。
【実施例３】
【００１７】
図３は、実施例３におけるリザーバの正面図である。
実施例３では、波板６を用いてリザーバの揺動を抑制する構造を説明する。
図３では、波板６は、リザーバ本体１の上部と下部に設置されており、上部に設置した波板６ａと下部に設置した波板６ｂとは、それぞれ波打ち方向が縦横となっており、予めバックパックに施された波板（図示せず）と咬合させることによって、リザーバ本体１の上下左右の揺動を抑制する。
波板６は、波打ち方向が一方向である場合には、波打ち方向が縦方向の波板６と波打ち方向が横方向の波板６とを設置する必要があるが、必ずしも波打ち方向は一方向である必要はなく、縦横の波が設けられたものであっても構わない。また、波板６はリザーバと一体成型されたものであっても良い。
【実施例４】
【００１８】
図４は、実施例４におけるリザーバの正面図である。
実施例４では、吸盤７を用いてリザーバの揺動を抑制する構造となっている。
図４に示すように、リザーバ本体１の側面部に２箇所、吸盤を設置しているが、設置個所は３箇所以上でも構わない。吸盤７はリザーバ本体１と一体成型されたものであっても良い。
【実施例５】
【００１９】
図５は、実施例５におけるリザーバの正面図である。
実施例５では、支柱８を用いてリザーバの揺動を抑制する構造となっている。支柱８は、リザーバ本体１の上端面と下端面とを貫いた形状となっており、支柱上端部８ａと下端部８ｂが、バックパックの内側に設けられた凹部状の部材と嵌合することによりリザーバ本体１の揺動が抑制できる。ここで、支柱８はリザーバ本体１と一体成型されたものであっても良い。
【産業上の利用可能性】
【００２０】
本発明は、液体を携行するためのバッグ収納型リザーバや、運動時の水分補給を行うためのハイドレーションシステムに有用である。
【符号の説明】
【００２１】
１  リザーバ本体
２ａ  吸込み口
２ｂ  チューブ
３  取付部位
４  フック
５  面ファスナー
６  波板
７  吸盤
８  支柱
８ａ  支柱上端部
８ｂ  支柱下端部
【図１】
2016078926.tif 000003
【図２】
2016078926.tif 000004
【図３】
2016078926.tif 000005
【図４】
2016078926.tif 000006
【図５】
2016078926.tif 000007